(57)【要約】【課題】支柱部の安定性を高めつつ、台座部上からの重量物の離脱を確実に防止して台座部の設置面に対する設置圧を高めることができるスタンドを提供する。【解決手段】庭に設置される平面視で略矩形状を呈する台座部２に、重量物Ｗを載置する基台２１と、この基台２１を囲む台座部２の周縁より上方へ起立し、基台２１からの重量物Ｗの脱落を規制する縁２２と、この縁２２の前側の短縁２２３の略中央位置より前方へ突出する凸部２５に設けられ、その短縁２２３と平行に延びる軸を介して支柱部の下側の中空パイプ３１の下端を揺動自在に支持する支柱支持部２３と、左右の長縁の後端部にそれぞれ後側の短縁２２４と平行に延びる軸を介して基端が揺動自在に支持され、重量物Ｗとの干渉を回避しつつ延びて各先端がそれぞれ下側の中空パイプの上端位置に固定具４を介して固定される一対の支え部材２４とを備えている。【選択図】図１
2012093615.tif 000002
【特許請求の範囲】
【請求項１】
平坦な設置面上に設置される台座部とこの台座部上に立設された支柱部とを備えたスタンドであって、
上記台座部は、
平面視で略矩形状を呈しており、
錘となる重量物を載置する基台と、
この基台を囲む上記台座部の周縁より上方へ起立し、上記基台からの重量物の脱落を規制する縁と、
この縁のうちの互いに向き合う一方の対向縁の略中央位置に設けられ、その一方の対向縁と平行に延びる軸を介して上記支柱部の下端を揺動自在に支持する支柱支持部と、
上記縁の他方の対向縁の両端側においてそれぞれ他方の対向縁と平行に延びる軸を介して基端が揺動自在に支持され、上記重量物との干渉を回避しつつ延びて各先端がそれぞれ上記支柱部の途中位置に固定具を介して固定される支え部材と、
を備えていることを特徴とするスタンド。
【請求項２】
上記固定具は、
上記支柱部の途中位置の外周面に対し縮径してクランプ可能となるように周方向一端が開口し、かつその開口端に互いに対面するフランジを有するクランプ具と、
上記各フランジに設けられた挿通孔に対し上記各支え部材の先端に設けられた孔を合致させた状態で挿通され、当該各フランジ同士を近接させるように締め付けて上記支柱部の途中位置の外周面に上記クランプ具を縮径させてクランプさせる螺子部材と、
を備えている請求項１に記載のスタンド。
【請求項３】
上記各支え部材は、その基端同士の間隔を保ちつつ途中位置まで延び、この途中位置より各先端が上記支柱部の途中位置に向かうように折曲されている請求項１又は請求項２に記載のスタンド。
【発明の詳細な説明】
【技術分野】
【０００１】
本発明は、台座部とこの台座部上に立設された支柱部とを備えたスタンドに関する。
【背景技術】
【０００２】
従来より、この種スタンドとしては、支柱部を設置面積の大きな台座部に対し回動自在に取り付けるとともに、この支柱部を台座部に対して起立させた状態で保持する固定リングを設け、支柱部下端の外周面に対し固定リングの内周面を密接させることで、支柱部のがたつきを防止するようにしたものが知られている（例えば、特許文献１参照）。
【先行技術文献】
【特許文献】
【０００３】
【特許文献１】特開２００４−２０５６４２号公報
【発明の概要】
【発明が解決しようとする課題】
【０００４】
ところで、時節に応じて鯉のぼりや旗などのポールを、台座部上に立設させた支柱部に取り付けるようにしたスタンドがある。このようなスタンドにおいても、上記従来のスタンドを適用して支柱部のがたつきを防止したいという要求がある。
その場合、鯉のぼりや旗などは風になびくものであるため、支柱部を介して台座部に揺れが伝達され、その揺れによって台座部の一部が設置面から浮き上がるおそれがある。
かかる点から、台座部の上に錘となる重量物（例えばコンクリートブロックなど）を載置するなどし、台座部の設置面に対する設置圧を高めるようにすることが考えられる。
【０００５】
しかしながら、台座部の上に重量物を載置しているだけでは、支柱部を介して台座部に伝達される揺れによって、重量物がずれるおそれがあり、重量物がずれて台座部上から離脱すると、台座部の設置面に対する設置圧を確実に高めておくことができない。
しかも、台座部に対し支柱部が下端のみで保持されていると、支柱部を介して台座部に伝達される揺れが支柱部の下端のみに集中的に作用し、支柱部を効率よく支えることができず、支柱部の安定性が損なわれる。
【０００６】
本発明は、かかる点に鑑みてなされたものであり、その目的とするところは、支柱部の安定性を高めつつ、台座部上からの重量物の離脱を確実に防止して台座部の設置面に対する設置圧を高めることができるスタンドを提供することにある。
【課題を解決するための手段】
【０００７】
上記目的を達成するため、本発明では、平坦な設置面上に設置される台座部とこの台座部上に立設された支柱部とを備えたスタンドを前提とする。そして、上記台座部は、平面視で略矩形状を呈しており、錘となる重量物を載置する基台と、この基台を囲む上記台座部の周縁より上方へ起立し、上記基台からの重量物の脱落を規制する縁と、この縁のうちの互いに向き合う一方の対向縁の略中央位置に設けられ、その一方の対向縁と平行に延びる軸を介して上記支柱部の下端を揺動自在に支持する支柱支持部と、上記縁の他方の対向縁の両端側においてそれぞれ他方の対向縁と平行に延びる軸を介して基端が揺動自在に支持され、上記重量物との干渉を回避しつつ延びて各先端がそれぞれ上記支柱部の途中位置に固定具を介して固定される支え部材と、を備えている。
【０００８】
この特定事項により、台座部の基台上に載置された錘となる重量物（例えばコンクリートブロックなど）は、台座部の周縁より上方へ起立する縁によって、基台からの脱落が規制されている。そのため、鯉のぼりや旗などが風になびく際に支柱部を介して台座部に揺れが伝達されても、重量物がずれて台座部の基台上から離脱することがない。これにより、台座部の設置面に対する設置圧を重量物によって円滑に高めることが可能となる。
しかも、台座部の互いに向き合う一方の対向辺の略中央位置で支柱支持部により下端が支持された支柱部の途中位置が、台座部の他方の対向辺の両端側においてそれぞれ基端が支持された各支え部材の先端の固定具によって固定されているので、支柱部の途中位置がその支柱部の下端と向き合う他方の対向辺の両端側から支えられる。このため、支柱部を介して台座部に伝達される揺れが支柱部の下端とこの下端と向き合う他方の対向辺の両端側とに分散されて、支柱部が効率よく支えられ、支柱部の安定性を高めることが可能となる。
【０００９】
また、上記固定具が、上記支柱部の途中位置の外周面に対し縮径してクランプ可能となるように周方向一端が開口し、かつその開口端に互いに対面するフランジを有するクランプ具と、上記各フランジに設けられた挿通孔に対し上記各支え部材の先端に設けられた孔を合致させた状態で挿通され、当該各フランジ同士を近接させるように締め付けて上記支柱部の途中位置の外周面に上記クランプ具を縮径させてクランプさせる螺子部材と、を備えていることが好ましい。
【００１０】
この場合には、各支え部材の先端が、その先端の孔及びクランプ具の各フランジの挿通孔に挿通した螺子部材によって当該各フランジ同士を近接させるように締め付けることで、クランプ具を縮径させて支柱部の途中位置の外周面に対し円滑に固定される。このため、台座部の他方の対向辺の両端側においてそれぞれ基端が軸回りに揺動する各支え部材の先端の揺動軌跡上であれば、台座部の支柱支持部の軸回りに支柱部を揺動させてその途中位置の何処にでも各支え部材の先端が固定される。これにより、支柱部が好みの揺動角度で各支え部材により支えられ、支柱部の揺動角度の自由度を拡大させることができる。
【００１１】
更に、上記各支え部材は、その基端同士の間隔を保ちつつ途中位置まで延び、この途中位置より各先端が上記支柱部の途中位置に向かうように折曲されていてもよい。
【００１２】
この場合には、各支え部材は途中位置まで基端同士の間隔を保ちつつ延びているので、台座部の基台上に載置された錘との干渉を円滑に回避でき、コンクリートブロックなどの嵩高い重量物であっても台座部の基台上に容易に載置することができる。
【発明の効果】
【００１３】
以上、要するに、台座部の周縁より上方へ起立して基台からの重量物の脱落を規制する縁が設けられているとともに、台座部の互いに向き合う一方の対向辺の略中央位置で支柱支持部により下端が支持された支柱部の途中位置を、台座部の他方の対向辺の両端側にそれぞれ基端が支持された各支え部材の先端の固定具によって固定することで、支柱部を効率よく支えて支柱部の安定性を高めつつ、支柱部を介して台座部に伝達された揺れによる台座部の基台上からの重量物の離脱を確実に防止して台座部の設置面に対する設置圧を重量物によって円滑に高めることができる。
【図面の簡単な説明】
【００１４】
【図１】本発明の実施の形態に係るスタンドを用いて鯉のぼりの支柱部を保持するようにした使用状態を説明する外観図である。
【図２】図１の支柱部の下端を支持する支柱支持部付近を斜め側方から見た分解斜視図である。
【図３】図１の支柱部の上端付近を斜め側方から見た分解斜視図である。
【図４】図１の一方の支え部材の基端付近を斜め側方から見た分解斜視図である。
【図５】図１の各支え部材の先端付近を斜め側方から見た分解斜視図である。
【図６】図５の各支え部材の先端付近を後方から見た斜視図である。
【図７】実施の形態の変形例に係るスタンドの台座部に対し支柱部を鉛直線上に起立させた状態を示す斜視図である。
【図８】その他の変形例に係るスタンドの台座部に重量物として複数のペットボトルを適用した場合の斜視図である。
【図９】その他の変形例に係るスタンドの台座部に重量物として複数のコンクリートブロックを適用した場合の斜視図である。
【発明を実施するための形態】
【００１５】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係るスタンド１について説明する。
【００１６】
図１に示すように、上記スタンド１は、庭の平坦な設置面としての地面に設置される平面視で略矩形状の台座部２と、この台座部２上に立設された支柱部３とを備えている。上記台座部２は、錘となる重量物Ｗを載置する基台２１と、この基台２１を囲む台座部２の周縁より上方へ起立し、上記基台２１からの重量物Ｗの脱落を規制する縁２２と、上記支柱部３の下端を揺動自在に支持する支柱支持部２３と、上記支柱部３の途中位置を支える一対の支え部材２４，２４とを備えている。また、上記支柱部３は、互いに径が異なる２本の中空パイプ３１，３２を備えている。そして、上記重量物Ｗとしては、幅２００ｍｍ、長さ３１０ｍｍ、高さ１５０ｍｍのポリエチレン樹脂よりなる矩形箱状の２個の注水タンクＷ１，Ｗ１が適用され、満水時には２個合わせて約１８６００ｇの重さとなっている。この場合、各注水タンクＷ１は、折り畳み可能に構成され、基台２１上に載置された状態で注水される水によって拡張されて復元する。
【００１７】
上記各中空パイプ３１，３２のうち、大径となる下側の中空パイプ３１の上下両端及び小径な上側の中空パイプ３２の上下両端には、それぞれ直径上に貫通する貫通孔３３（図２では下側の中空パイプ３１の下端のもののみ示す）が設けられている。そして、図３にも示すように、上記下側の中空パイプ３１と上側の中空パイプ３２とは、下側の中空パイプ３１の上端より上側の中空パイプ３２の下端を挿通させた状態で、互いの貫通孔３３に挿通される蝶ボルト３５及び蝶ナット３６によって継がれている。この場合、下側の中空パイプ３１の内径と上側の中空パイプ３２の外径との間には、両者が摺動可能となる程度の隙間を存している。
【００１８】
そして、上記上側の中空パイプ３２の上端には、伸縮ポール５が取り付けられている。この伸縮ポール５は、基端パイプ材５２と、この基端パイプ材５２に対し伸縮自在に収容された３本のパイプ材５３〜５５とを備えている。上記基端パイプ材５２の下端部には、上側の中空パイプ３２の上端の貫通孔３３と対応するように直径上に貫通する貫通孔５６が設けられている。そして、上記上側の中空パイプ３２と基端パイプ材５２とは、上側の中空パイプ３２の上端に基端パイプ材５２の下端を挿通させた状態で、互いの下側の貫通孔３３，５６に頭部が円環状に形成されたヒートンボルト５９が挿通され、蝶ナット（図示せず）によって止着されている。また、上記伸縮ポール５は、その先端の先端パイプ材５５を除く各パイプ材５２〜５４の先端にロック具５７を備えている。このロック具５７は、各パイプ材５２〜５４の先端外周に形成されたテーパー状のねじ部（図示せず）と、このねじ部に螺合するねじ部（図示せず）を内周側に有する操作筒５７１と、この操作筒５７１の内部に内包され、上記操作筒５７１を締め付けた際に当該操作筒５７１のねじ部よりも先端側において先端側の各パイプ材５３〜５５の外周に圧接される樹脂製のリング材（図示せず）とを備え、この操作筒５７１を締め付けて先端側の各パイプ材５３〜５５の外周にリング材を圧接させることで、その先端側の各パイプ材５３〜５５に基端側の各パイプ材５２〜５４の先端を強固に挾持して固定できるようにしている。
【００１９】
上記伸縮ポール５の最先端のパイプ材５５の先端には、滑車６４が取り付けられている。この滑車６４には掲揚ロープ６９が巻き掛けられ、掲揚ロープ６９の巻き取り又は送り出しによって、鯉のぼりの掲揚を可能にしている。この場合、掲揚ロープ６９は、環状に結ばれ、下方に位置する部分がヒートンボルト５９の円環状の頭部に止着されている。
【００２０】
また、図１に示すように、上記基台２１は、上記縁２２の互いに対向する長縁２２１，２２２同士を連結するように短縁２２３，２２４に沿って延びる３枚の板材２１１，２１１，…を備えている。この各板材２１１は、基台２１上に載置された重量物が抜け落ちない程度の隙間（例えば、６０ｍｍ程度の隙間）を存して並設される。この場合、台座部２は、その長縁２２１，２２２が４８０ｍｍに、短縁２２３，２２４が３４５ｍｍにそれぞれ設定され、２個の注水タンクＷ１，Ｗ１が並べて載置されるようになっている。なお、以下の説明において、便宜上、台座部２の前後に短縁２２３，２２４が、台座部２の左右に長縁２２１，２２２がそれぞれ位置しているものとして説明する。
【００２１】
上記支柱支持部２３は、図２に示すように、上記縁２２のうちの一方の対向縁としての前側の短縁２２３（図１では左側）の略中央位置より外方（図１では左側方）へ突出する凸部２５に設けられている。この凸部２５の互いに対向する対向片２５１，２５１には、ボルト挿通孔２５２（図２では一方のみ示す）が設けられている。そして、上記支柱部３の下端つまり下側の中空パイプ３１の下端は、その各貫通孔３３を上記凸部２５の各対向片２５１のボルト挿通孔２５２に対し合致させた状態で当該各貫通孔３３及びボルト挿通孔２５２に挿通される蝶ボルト３５及び蝶ナット３６によって支持されている。この場合、蝶ボルト３５は、前側の短縁２２３と平行に延びる軸として機能し、下側の中空パイプの下端を凸部２５の対向片２５１，２５１間で前後方向に揺動自在に支持している。
【００２２】
また、図４にも示すように、上記各支え部材２４は、パイプ状に形成され、その基端及び先端に平板状の支持片２４１，２４２がそれぞれ一体的に設けられている。この各支持片２４１，２４２には、孔としてのボルト挿通孔２４３（図５では一方のみ示す）が設けられている。また、上記縁２２のうちの他方の対向縁としての後側の短縁２２４（図１では右側）の左右両端側となる左右の長縁２２１，２２２の後端部には、ボルト挿通孔（図示せず）が設けられている。そして、上記各支え部材２４の基端の支持片２４１は、そのボルト挿通孔２４３を上記左右の長縁２２１，２２２の後端部のボルト挿通孔に合致させた状態でリベット７１によって回動自在に支持されている。この場合、リベット７１の軸は、後側の短縁２２４と平行に延びる軸として機能し、各支え部材２４の基端を左右の長縁２２１，２２２の後端部に対し前後方向に揺動自在に支持している。
【００２３】
一方、図５及び図６に示すように、上記各支え部材２４の先端の支持片２４２は、上記支柱部３の途中位置つまり下側の中空パイプ３１の上端位置に固定具４を介して固定されている。この固定具４は、上記下側の中空パイプ３１の上端位置の外周面に対し縮径してクランプ可能となるように周方向一端が開口し、かつその開口端に互いに対面するフランジ４１，４１を有するクランプ具４２と、上記各フランジ４１に設けられた挿通孔４１１（図５では一方のみ示す）及び上記各支え部材２４の先端のボルト挿通孔２４３（図５では一方のみ示す）に挿通され、当該各フランジ４１，４１同士を近接させるように締め付けて上記下側の中空パイプ３１の上端位置の外周面に上記クランプ具４２を縮径させてクランプさせる螺子部材としての蝶ボルト４３及び蝶ナット４４とを備えている。この場合、支柱部３（下側及び上側の中空パイプ３１，３２）は、支柱支持部２３及び各支え部材２４によって、鉛直線よりも若干後傾した状態で支持されている。
【００２４】
また、図１に示すように、上記各支え部材２４のパイプ部分は、上記台座部２の基台２１上に載置した２個の注水タンクＷ１，Ｗ１との干渉を回避するように基端同士の間隔を保ちつつ途中位置（例えば基端から五分の二程度の位置）まで延び、この途中位置より下側の中空パイプ３１の上端位置に向かうように内方向きに折曲されている。
【００２５】
次に、スタンド１を組み立てる際の手順について説明する。
まず、台座部２を庭の平坦な地面に設置し、各支え部材２４を基端（支持片２４１）のリベット７１をそれぞれ支点にして先端（支持片２４２）を上方へ起立させる。このとき、各支え部材２４の先端には、蝶ボルト４３及び蝶ナット４４を緩めてクランプ具４２を拡径させた状態で固定具４が取り付けられている。
【００２６】
次いで、下側の中空パイプ３１の下端を支柱支持部２３に支持する。つまり、前側の短縁２２３の凸部２５の対向片２５１，２５１のボルト挿通孔２５２に下側の中空パイプ３１の下端の各貫通孔３３を合致させた状態で、当該各貫通孔３３及びボルト挿通孔２５２に挿通される蝶ボルト３５及び蝶ナット３６によって下側の中空パイプ３１の下端を支柱支持部２３に支持する。このとき、下側の中空パイプ３１の下端の各貫通孔３３は、上端の各貫通孔３３よりも端部からの長さが短いので、取り付けミスが生じることはない。
【００２７】
その後、固定具４のクランプ具４２に下側の中空パイプ３１を上端から挿通した後、下側の中空パイプ３１にその上端から上側の中空パイプ３２の下端を挿通し、各貫通孔３３同士を互いに合致させた状態で当該各貫通孔３３に挿通される蝶ボルト３５及び蝶ナット３６によって取り付ける。
【００２８】
それから、上側の中空パイプ３２の上端に伸縮ポール５の基端パイプ材５２の下端を挿通し、上側の中空パイプ３２の上端の貫通孔３３と伸縮ポール５の基端パイプ材５２の下端の貫通孔５６とを合致させた状態で、ヒートンボルト５９を挿通して蝶ナットで止着することによって取り付ける。このとき、伸縮ポール５は、各パイプ材５３〜５５をそれぞれ伸張させてロック具５７により固定しておく。また、各支え部材２４の先端の固定具４を固定、つまり蝶ボルト４３及び蝶ナット４４を締め付けてクランプ具４２を縮径させることによって下側の中空パイプ３１の上端に各支え部材２４の先端を固定しておく。
【００２９】
しかる後、台座部２の基台２１上に空の注水タンクＷ１，Ｗ１を２個載置し、ホースなどを用いて各注水タンクＷ１に水を注入する。
【００３０】
したがって、上記実施の形態では、台座部２の基台２１上に載置した２個の注水タンクＷ１，Ｗ１は、台座部２の周縁より上方へ起立する縁２２によって、基台２１からの脱落が規制されている。そのため、鯉のぼりや旗などが風になびく際に伸縮ポール５及び支柱部３を介して台座部２に揺れが伝達されても、各注水タンクＷ１がずれて基台２１上から離脱することがない。これにより、台座部２の地面上に対する設置圧を各注水タンクＷ１によって円滑に高めることができる。
【００３１】
また、台座部２の前側の短縁２２３の略中央位置で支柱支持部２３により下端が支持された下側の中空パイプ３１の上端位置が、左右の長縁２２１，２２２の後端部においてそれぞれ基端が支持された各支え部材２４の先端の固定具４によって固定されているので、下側の中空パイプ３１の上端位置がその中空パイプ３１の下端と向き合う後側の短縁２２４の左右両端側から支えられる。このため、支柱部３を介して台座部２に伝達される揺れが支柱部３の下端とこの下端と向き合う後側の短縁２２４の左右両端側とに分散されて支柱部３が効率よく支えられ、支柱部３の安定性を高めることができる。
【００３２】
更に、各支え部材２４が途中位置まで基端同士の間隔を保ちつつ延びているので、台座部２の基台２１上に載置された各注水タンクＷ１との干渉を円滑に回避でき、嵩高い重量物であっても台座部２の基台２１上に容易に載置することができる。
【００３３】
なお、本発明は、上記実施の形態に限定されるものではなく、その他種々の変形例を包含している。例えば、上記実施の形態では、支柱部３を支柱支持部２３及び各支え部材２４によって鉛直線よりも若干後傾した状態で支持したが、図７に示すように、支柱部３が支柱支持部２３及び各支え部材２４によって鉛直線上に起立した状態で支持されていてもよい。つまり、左右の長縁２２１，２２２の後端部においてそれぞれ基端がリベット７１の軸回りに揺動する各支え部材２４の先端の揺動軌跡上であれば、台座部２の支柱支持部２３の蝶ボルト３５の軸回りに下側の中空パイプ３１を揺動させてその途中位置の何処にでも各支え部材２４の先端が固定具４によって固定されることになる。これによって、支柱部３が好みの揺動角度で各支え部材２４により支えられ、支柱部３の揺動角度の自由度を拡大させることが可能となる。
【００３４】
また、上記実施の形態では、重量物Ｗとして矩形箱状の２個の注水タンクＷ１，Ｗ１を適用したが、図８に示すように、水を注水した５個のペットボトルＷ２，Ｗ２，…や、図９に示すように、２個のコンクリートブロックＷ３，Ｗ３が基台２１上に載置されていてもよい。
【００３５】
また、上記実施の形態では、台座部２の長縁２２１，２２２を４８０ｍｍに、短縁２２３，２２４を３４５ｍｍにそれぞれ設定したが、台座部の長縁及び短縁の寸法はこれに限定されるものではなく、重量物の重量をアップする上で、これ以上の寸法に設定されていてもよいのはいうまでもない。
【００３６】
また、上記実施の形態では、支柱支持部２３を前側の短縁２２３の略中央位置に設け、各支え部材２４の基端を左右の長縁２２１，２２２の後端部に支持したが、支柱支持部が互いに対向する一方の長縁の略中央位置に設けられ、各支え部材の基端が他方の長縁の左右両端部に対応する短縁の対応位置に支持されていてもよい。
【００３７】
また、上記実施の形態では、スタンド１の台座部２を地面上に設置した場合について述べたが、スタンドの台座部が屋外又は屋内を問わず平坦な設置面であれば何処に設置されていてもよいのはいうまでもない。
【００３８】
また、上記実施の形態では、上側の中空パイプ３２の上端に、基端パイプ材５２とこの基端パイプ材５２に対し伸縮自在に収容された３本のパイプ材５３〜５５とからなる伸縮ポール５を取り付けたが、伸縮ポールが、上側の中空パイプ３２の上端に取り付けられる基端パイプ材とこの基端パイプ材５２に対し伸縮自在に収容された２本又は４本以上のパイプ材により構成されていてもよいのはいうまでもない。
【００３９】
また、上記実施の形態では、各支え部材２４のパイプ部分を、基端同士の間隔を保ちつつ基端から五分の二程度の途中位置まで延ばしたが、各支え部材のパイプ部分が、台座部の基台上に載置した嵩高い重量物との干渉を回避するように基端同士の間隔を保ちつつ基端から五分の二以上の途中位置まで延びていてもよい。この場合、各支え部材のパイプ部分は、その途中位置より下側の中空パイプ３１の上端位置に向かうように内方向きに折曲される。
【００４０】
更に、上記実施の形態では、吹流しや鯉のぼりを取り付けた伸縮ポール５を支柱部３に支持したが、幟を取り付けた伸縮ポールなどのパイプが支柱部に支持されていてもよい。
【符号の説明】
【００４１】
１        スタンド
２        台座部
２１      基台
２２      縁
２２３    前側の短縁（一方の対向縁）
２２４    後側の短縁（他方の対向縁）
２３      支柱支持部
２４      支え部材
２４３    ボルト挿通孔（孔）
３        支柱部
４        固定具
４１      フランジ
４１１    挿通孔
４２      クランプ具
４３      蝶ボルト（螺子部材）
Ｗ        重量物
【図１】
2012093615.tif 000003
【図２】
2012093615.tif 000004
【図３】
2012093615.tif 000005
【図４】
2012093615.tif 000006
【図５】
2012093615.tif 000007
【図６】
2012093615.tif 000008
【図７】
2012093615.tif 000009
【図８】
2012093615.tif 000010
【図９】
2012093615.tif 000011